(57)【要約】      （修正有）【課題】ベッドサイドに使用され、使用者が寝た状態から座って立ち、立った状態から座って寝る、或いはベッドサイドでの簡単な運動を補助する補助装置を提供する。【解決手段】補助装置は水平部１１及び垂直部１２を備える。前記垂直部の底端は前記水平部に連結される。前記垂直部は手すり部１３を更に備える。前記補助装置の全底面は水平である。前記垂直部は、ボックス形式構造２５を更に備え、前記ボックス形式構造の底面は前記水平部の底面と水平になり、前記垂直部の手すり部の高さは前記ボックス形式構造より高い。【選択図】図１
0003216460.tif 000002
【実用新案登録請求の範囲】
【請求項１】
水平部及び垂直部を備える作動力と運動を提供する補助装置であって、
前記垂直部の底端は前記水平部に連結され、前記垂直部は手すり部を更に含み、前記補助装置の全底面は水平であることを特徴とする作動力と運動を提供する補助装置。
【請求項２】
前記水平部の第一端は前記垂直部の底端に連結されることを特徴とする請求項１に記載の作動力と運動を提供する補助装置。
【請求項３】
前記垂直部の底端は前記水平部の中間部位に連結されることを特徴とする請求項１に記載の作動力と運動を提供する補助装置。
【請求項４】
前記垂直部及び前記水平部は共にパイプフレーム構造であることを特徴とする請求項１、２、または３に記載の作動力と運動を提供する補助装置。
【請求項５】
前記垂直部はパイプフレーム構造であり、前記水平部は板構造であることを特徴とする請求項１、２、または３に記載の作動力と運動を提供する補助装置。
【請求項６】
前記垂直部には杖を掛けて置く、挿して置く、または凭せかけるためのフック部材が更に設置されることを特徴とする請求項１、２、または３に記載の作動力と運動を提供する補助装置。
【請求項７】
前記垂直部はボックス形式構造を更に備え、前記ボックス形式構造の底面は前記水平部の底面と水平になり、前記垂直部の手すり部の高さは前記ボックス形式構造より高いことを特徴とする請求項１または２に記載の作動力と運動を提供する補助装置。
【請求項８】
前記ボックス形式構造は杖を挿して置くための少なくとも１つの孔部を有することを特徴とする請求項７に記載の作動力と運動を提供する補助装置。
【請求項９】
水平部及び垂直部を備える作動力と運動を提供する補助装置であって、前記垂直部はパイプフレーム構造であり、前記水平部は板構造であり、前記水平部の第一端は前記垂直部の底端に連結され、前記垂直部は手すり部を有し、前記垂直部はボックス形式構造を更に含み、前記ボックス形式構造の底面は前記水平部の底面と水平になり、前記手すり部の高さは前記ボックス形式構造より高いことを特徴とする作動力と運動を提供する補助装置。
【請求項１０】
前記ボックス形式構造は杖を挿して置くための少なくとも１つの孔部を有することを特徴とする請求項９に記載の作動力と運動を提供する補助装置。
【考案の詳細な説明】
【技術分野】
【０００１】
本考案は、ベッドサイドに使用され、使用者が寝た状態から座って立ち、立った状態から座って寝る、或いはベッドサイドでの簡単な運動を補助する補助装置に関する。
【背景技術】
【０００２】
年長者や虚弱な人（以下、被看護者という）は筋肉量が不足しており、或いは肢体の協調能力が低く、ベッドで寝た状態から身体を起こす動作をスムーズに行えず、看護者の補助や支持が必要であった。
【考案の概要】
【考案が解決しようとする課題】
【０００３】
しかしながら、被看護者が常に看護者の力を借りるばかりで自分の筋肉をあまり使用せずにいると、筋肉が弱る問題が著しく悪化した。
【０００４】
本考案はこうした状況に鑑みてなされたものであり、その目的は、ベッドサイドに使用され、使用者が寝た状態から座って立ち、立った状態から座って寝る、或いはベッドサイドでの簡単な運動を補助する補助装置を提供することにある。
【課題を解決するための手段】
【０００５】
上記課題を解決するために、本考案の態様の作動力と運動を提供する補助装置は、水平部及び垂直部を備える。前記垂直部の底端は前記水平部に連結される。前記垂直部は手すり部を更に含む。前記補助装置の全底面は水平である。
【０００６】
好ましくは、前記水平部の第一端は前記垂直部の底端に連結される。
【０００７】
好ましくは、前記垂直部の底端は前記水平部の中間部位に連結される。
【０００８】
好ましくは、前記垂直部及び前記水平部は共にパイプフレーム構造である。
【０００９】
好ましくは、前記垂直部はパイプフレーム構造であり、前記水平部は板構造である。
【００１０】
好ましくは、前記垂直部には杖を掛けて置く、挿して置く、または凭せかけるためのフック部材が更に設置される。
【００１１】
好ましくは、前記垂直部はボックス形式構造を更に備える。前記ボックス形式構造の底面は前記水平部の底面と水平になり、前記垂直部の手すり部の高さは前記ボックス形式構造より高い。
【００１２】
好ましくは、前記ボックス形式構造は杖を挿して置くための少なくとも１つの孔部を有する。
【考案の効果】
【００１３】
本考案に係る補助装置はベッドサイドに使用され、使用者が寝た状態から座って立ち、立った状態から座って寝る、或いはベッドサイドでの簡単な運動を補助する。
【００１４】
前記補助装置の全底面は水平であり、地面に平穏に設置可能であり、或いは使用者に引っ張られて短い距離を移動する。
【００１５】
前記補助装置は前記水平部がベッド底部の低いスペース中に挿入され、前記低いスペースにより前記水平部が制限されて傾斜しなくなり、前記補助装置がひっくり返る心配が無くなる。
【００１６】
前記水平部が前記低いスペースに進入させた後、前記垂直部が前記ベッドの側辺に位置され、且つ前記ベッドの平臥面より高くなることにより前記ベッドのサイドフレームとなり、前記ベッドに寝ている者が不注意で落下することを防止させる。
【００１７】
前記ベッドに寝ている使用者は前記垂直部及び前記手すり部を利用して身体を起こすことを補助させることが可能になる。
【００１８】
ベッドサイドに座った使用者は前記補助装置を自分の前まで引っ張り、両足で板構造の水平部を踏むと前記垂直部が使用者の膝の前に位置され、使用者が手で前記手すり部を握って力を入れて身体を起こすと共に腿の筋肉を使って自分の力で起き上がることが可能になる。
【００１９】
両足で前記板構造を踏むと前記補助装置の重心が安定し、使用者の重心も前記補助装置の支持底面積範囲内に位置され、前記補助装置がひっくり返る心配がなくなり、使用者は平衡を保ち、姿勢を安定させることができる。
【００２０】
上述のように、使用者は前記補助装置を利用してベッドサイドで座った状態から立つ、及び立った状態から座る動作を反復練習することにより筋肉及び肢体の協調動作を鍛えて向上させることが可能になる。
【００２１】
使用者は補助装置を利用して立った後、手を伸ばして前記垂直部から杖を取り、杖により歩行を補助させることが可能になる。
【図面の簡単な説明】
【００２２】
【図１】本考案の第１実施形態に係る補助装置を示す外観斜視図である。
【図２】本考案の第２実施形態に係る補助装置を示す外観斜視図である。
【図３】本考案の第３実施形態に係る補助装置を示す外観斜視図である。
【図４】本考案の第４実施形態に係る補助装置を示す外観斜視図である。
【図５】本考案の第５実施形態に係る補助装置を示す外観斜視図である。
【図６】本考案の補助装置がベッドサイドに使用される概略図（一）である。
【図７】本考案の補助装置がベッドサイドに使用される概略図（二）である。
【図８】本考案の補助装置の使用状態を示す概略図（一）である。
【図９】本考案の補助装置の使用状態を示す概略図（二）である。
【図１０】本考案の補助装置の使用状態を示す概略図（三）である。
【図１１】本考案の補助装置の使用状態を示す概略図（四）である。
【図１２】本考案の補助装置の使用状態を示す概略図（五）である。
【考案を実施するための形態】
【００２３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。さらに、実施形態における異なる各物品は説明における比率、サイズ、変形量、または移動量に適合するように描写しており、実際の部材の比率に基づいて描写しているわけではないことを先に説明する。
【００２４】
本考案の補助装置は、水平部１１及び垂直部１２を備え、前記垂直部１２の底端は前記水平部１１に連結される。前記補助装置の全底面は水平であり、地面に平穏に設置されるか、被使用者により引っ張られて短い距離移動する。前記垂直部１２は使用者が握るための手すり部１３を更に備える（図１乃至図５参照）。
【００２５】
図１に示されるように、前記垂直部１２はパイプフレーム構造であり、前記水平部１１は板構造であり、前記垂直部１２はボックス形式構造２５を更に備える。前記ボックス形式構造２５の底面は前記水平部１１の底面と水平になり、これにより、前記補助装置の全底面が水平に保持され、且つ前記ボックス形式構造２５により前記水平部１１の支持底面積が増加する。前記垂直部１２の手すり部１３の高さは前記ボックス形式構造２５より高い。前記ボックス形式構造２５は杖４０を挿して置くための少なくとも１つの孔部２６を提供する。
【００２６】
また、図２に示されるように、前記水平部１１及び前記垂直部１２は一体で連接されるパイプフレーム構造であり、前記水平部１１の第一端は前記垂直部１２の底端に連結される。
【００２７】
次は、図３に示されるように、前記水平部１１及び前記垂直部１２は共にパイプフレーム構造であり、前記垂直部１２の底端は前記水平部１１の中間部位に連結される。
【００２８】
前記垂直部１２はパイプフレーム構造であり、前記水平部１１は板構造であり、前記水平部１１の第一端は前記垂直部１２の底端に連結される（図４参照）。
【００２９】
前記垂直部１２はパイプフレーム構造であり、前記水平部１１は板構造であり、前記垂直部１２の底端は前記水平部１１の中間部位に連結される（図５参照）。
【００３０】
図２乃至図５に示されるように、前記垂直部１２には杖４０を掛けて置く、挿して置く、或いは凭せかけるためのフック部材２０が更に設置され、杖４０が倒れなくなる。前記フック部材２０は開放環状構造または閉鎖環状構造であり、前記フック部材２０はホルダー２１により前記垂直部１２に固定される。
【００３１】
図６乃至図８に示されるように、前記補助装置は前記水平部１１がベッド５０の底部の低いスペース５１中に挿入され、前記低いスペース５１とは前記ベッド５０の底面から地面５５までの高さを指し、前記高さに基づいて制限され、前記水平部１１が水平方向にのみ前記低いスペース５１に進入するか引き出される。前記水平部１１は前記低いスペース５１中で傾斜しないため、前記補助装置がひっくり返る心配がなくなる。前記水平部１１が前記低いスペース５１に進入させた後、前記垂直部１２が前記ベッド５０の側辺に位置され、且つ前記ベッド５０の平臥面５２より高くなるため前記ベッド５０のサイドフレームとなり、前記ベッド５０に寝ている者が不注意で落下することを防止させる。
【００３２】
図８乃至図１０に示されるように、前記ベッド５０に寝ている使用者は前記垂直部１２及び前記手すり部１３を利用して身体を起こすことを補助させる。例えば、使用者が片手で前記手すり部１３を引っ張り、平伏した姿勢から横向きに寝た姿勢になる（図８及び図９参照）。続いて、横向きに寝た姿勢から上方の手で前記手すり部１３を掴んで支えにし、力をかけて上半身を起こし、ベッドサイドに起き上がって座る（図９及び図１０参照）。この際、前記補助装置は使用者の傍に位置され、使用者は手で前記手すり部１３を握って安定させて座った姿勢を調整させ、手を伸ばして杖４０を取る。
【００３３】
図１１及び図１２に示されるように、ベッドサイドに座った使用者は前記補助装置を自分の前まで引っ張ると、前記水平部１１の一部分が前記ベッド５０の底部に保持され、他の部分が前記ベッド５０まで延出されるほか、図１、図４、及び図５に示されるように、使用者が両足で水平部１１を踏むと、使用者の両足が前記水平部１１のフレーム範囲内に位置される（図２及び図３参照）。どちらの例であれ、前記垂直部１２が共に使用者の膝の前に位置される。次いで、使用者は前記手すり部１３を手で握り、力をかけて身体を起こし、且つ腿の筋肉を使用して自分の力で立ち上がる。または、使用者は前記補助装置を利用してベッドサイドで座った状態から立つ、及び立った状態から座る動作を反復練習し、筋肉及び肢体の協調動作を鍛えて向上させることが可能になる。
【００３４】
また、使用者が補助装置を利用して立ち上がった後、前記垂直部１２から直接杖４０を取り、杖４０を使用して歩行を補助させることが可能になる。
【００３５】
以上、本考案の実施形態について図面を参照して詳述したが、具体的な構成はこの実施形態に限られるものではなく、本考案の要旨を逸脱しない範囲の設計変更等も含まれる。
【符号の説明】
【００３６】
１１ 水平部
１２ 垂直部
１３ 手すり部
２０ フック部材
２１ ホルダー
２５ ボックス形式構造
２６ 孔部
４０ 杖
５０ ベッド
５１ 低いスペース
５２ 平臥面
５５ 地面
【図１】
0003216460.tif 000003
【図２】
0003216460.tif 000004
【図３】
0003216460.tif 000005
【図４】
0003216460.tif 000006
【図５】
0003216460.tif 000007
【図６】
0003216460.tif 000008
【図７】
0003216460.tif 000009
【図８】
0003216460.tif 000010
【図９】
0003216460.tif 000011
【図１０】
0003216460.tif 000012
【図１１】
0003216460.tif 000013
【図１２】
0003216460.tif 000014